(57)【要約】  本発明の実施例は、スケジューリング情報確定装置、スケジューリング装置、方法及びシステムを提供する。スケジューリング方法は、ユーザ装置が、基地局送信のスケジューリング情報に基づいて、スケジューリングされるタイムスロットのサービングセルを確定することを含む。ユーザに複数の同一周波数内セルが構成されている時に、本発明の実施例により、該ユーザは、あるタイムスロットにおいてどのセルが自分のサービングセルであるかを把握することができる。
2018535584.tif 000002
【特許請求の範囲】
【請求項１】
ユーザ装置（UE）に応用されるスケジューリング情報確定装置であって、
基地局により、前記UEのために、複数の同一周波数内セル（intra-frequency  cell）が共同で前記UEにサービスを提供するように構成されており、
前記装置は、前記基地局により送信されたスケジューリング情報に基づいて、スケジューリングされるタイムスロットのサービングセルを確定するための第一確定ユニットを含む、装置。
【請求項２】
請求項1に記載の装置であって、
前記スケジューリング情報にはスケジューリングされるタイムスロットのサービングセルの指示情報が含まれない場合、前記第一確定ユニットは、スケジューリングされるタイムスロットのサービングセルがデフォルトセルであると確定する、装置。
【請求項３】
請求項2に記載の装置であって、
前記デフォルトセルは、予め設定された、又は、予め定義されたものである、装置。
【請求項４】
請求項1に記載の装置であって、
前記スケジューリング情報にはスケジューリングされるタイムスロットのサービングセルの指示情報が含まれる場合、前記第一確定ユニットは、スケジューリングされるタイムスロットのサービングセルが、前記指示情報により指示されるサービングセルであると確定する、装置。
【請求項５】
請求項1に記載の装置であって、
前記スケジューリング情報、又は、スケジューリングされるタイムスロットのサービングセルのTDD（Time  Division  Duplexing）設定に基づいて、スケジューリングされるタイムスロットの位置及びスケジューリングされる該タイムスロットの上り下りリンク設定を確定するための第二確定ユニットをさらに含む、装置。
【請求項６】
基地局（eNB）に応用されるスケジューリング装置であって、
前記基地局は、ユーザ装置（UE）のために、複数の同一周波数内セルが共同で前記UEにサービスを提供するように構成しており、
前記装置は、前記ユーザ装置にスケジューリング情報を送信するためのスケジューリングユニットを含み、前記スケジューリング情報には、スケジューリングされるタイムスロットのサービングセルの指示情報が含まれ、又は、含まれず、これに基づいて、前記ユーザ装置は、スケジューリングされるタイムスロットのサービングセルを確定する、装置。
【請求項７】
ユーザ装置（UE）に応用されるスケジューリング情報確定装置であって、
基地局により、前記UEのために、複数の同一周波数内セルが共同で前記UEにサービスを提供するように構成されており、
前記装置は、前記基地局が前記ユーザ装置のために設定した参照TDD設定に基づいて、各タイムスロットのサービングセルを確定するための第一確定ユニットを含む、装置。
【請求項８】
請求項7に記載の装置であって、
１つのタイムスロットについて、前記参照TDD設定中のタイムスロットの上り下りリンク設定が、１つの構成セルのみのTDD設定中のタイムスロットの上り下りリンク設定と同じである場合、前記第一確定ユニットは、前記構成セルが前記タイムスロットのサービングセルであると確定する、装置。
【請求項９】
請求項7に記載の装置であって、
１つのタイムスロットについて、前記参照TDD設定中のタイムスロットの上り下りリンク設定が、少なくとも２つの構成セルのTDD設定中のタイムスロットの上り下りリンク設定と同じであり、且つデフォルトセルのTDD設定中のタイムスロットの上り下りリンク設定と同じである場合、前記第一確定ユニットは、デフォルトセルが前記タイムスロットのサービングセルであると確定する、装置。
【請求項１０】
請求項9に記載の装置であって、
前記デフォルトセルは、予め設定された、又は、予め定義されたものである、装置。
【請求項１１】
請求項7に記載の装置であって、
１つのタイムスロットについて、前記参照TDD設定中のタイムスロットの上り下りリンク設定が、少なくとも２つの構成セルのTDD設定中のタイムスロットの上り下りリンク設定と同じであり、且つデフォルトセルのTDD設定中のタイムスロットの上り下りリンク設定と異なる場合、前記第一確定ユニットは、前記基地局により指定されるサービングセルを前記タイムスロットのサービングセルとする、装置。
【請求項１２】
請求項11に記載の装置であって、
前記デフォルトセルは、予め設定された、又は、予め定義されたものである、装置。
【請求項１３】
請求項7に記載の装置であって、
前記ユーザ装置がスケジューリング情報を受信した後に、前記スケジューリング情報又は前記参照TDD設定に基づいて、スケジューリングされるタイムスロットの位置及びスケジューリングされる該タイムスロットの上り下りリンク設定を確定し、スケジューリングされる該タイムスロットの位置に基づいて、スケジューリングされる該タイムスロットのサービングセルを確定するための第二確定ユニットをさらに含む、装置。
【請求項１４】
基地局（eNB）に応用されるスケジューリング装置であって、
前記基地局は、ユーザ装置（UE）のために、複数の同一周波数内セルが共同で前記UEにサービスを提供するように構成しており、
前記装置は、前記ユーザ装置のために参照TDD設定を設定し、前記ユーザ装置に、前記参照TDD設定に基づいて各タイムスロットのサービングセルを確定させるための設定ユニットを含む、装置。
【請求項１５】
請求項14に記載の装置であって、
前記ユーザ装置にスケジューリング情報を送信し、前記ユーザ装置に、前記スケジューリング受信情報後に、前記スケジューリング情報又は前記参照TDD設定に基づいて、スケジューリングされるタイムスロットの位置及びスケジューリングされる該タイムスロットの上り下りリンク設定を確定させ、スケジューリングされる該タイムスロットの位置に基づいて、スケジューリングされる該タイムスロットのサービングセルを確定させるためのスケジューリングユニットをさらに含む、装置。
【請求項１６】
ユーザ装置（UE）に応用されるスケジューリング情報確定装置であって、
基地局により、前記UEのために、複数の同一周波数内セルが共同で前記UEにサービスを提供するように構成されており、
前記装置は、前記基地局が前記ユーザ装置のために設定した、タイムスロットとサービングセルとの対応関係に基づいて、各タイムスロットのサービングセルを確定するための第一確定ユニットを含む、装置。
【請求項１７】
請求項16に記載の装置であって、
前記ユーザ装置がスケジューリング情報を受信した後に、前記スケジューリング情報、又は、前記基地局が前記ユーザ装置のために設定した参照TDD設定に基づいて、スケジューリングされるタイムスロットの位置及びスケジューリングされる該タイムスロットの上り下りリンク設定を確定し、スケジューリングされる該タイムスロットの位置に基づいて、スケジューリングされる該タイムスロットのサービングセルを確定するための第二確定ユニットをさらに含む、装置。
【請求項１８】
基地局（eNB）に応用されるスケジューリング装置であって、
前記基地局は、ユーザ装置（UE）のために、複数の同一周波数内セルが共同で前記UEにサービスを提供するように構成しており、
前記装置は、前記ユーザ装置のために、タイムスロットとサービングセルとの対応関係を設定し、前記ユーザ装置に、該対応関係に基づいて、各タイムスロットのサービングセルを確定させるための設定ユニットを含む、装置。
【請求項１９】
請求項18に記載の装置であって、
前記ユーザ装置にスケジューリング情報を送信し、前記ユーザ装置に、前記スケジューリング情報に基づいて、スケジューリングされるタイムスロットの位置及びスケジューリングされる該タイムスロットの上り下りリンク設定を確定させ、スケジューリングされる該タイムスロットの位置に基づいて、スケジューリングされる該タイムスロットのサービングセルを確定させるためのスケジューリングユニットをさらに含む、装置。
【請求項２０】
請求項19に記載の装置であって、
前記設定ユニットは、さらに、前記ユーザ装置のために参照TDD設定を設定し、前記ユーザ装置に、前記スケジューリング情報受信後に、前記スケジューリング情報又は前記参照TDD設定に基づいて、スケジューリングされるタイムスロットの位置及びスケジューリングされる該タイムスロットの上り下りリンク設定を確定させ、スケジューリングされる該タイムスロットの位置に基づいて、スケジューリングされる該タイムスロットのサービングセルを確定させる、装置。
【発明の詳細な説明】
【技術分野】
【０００１】
本発明は、通信分野に関し、特に、スケジューリング情報確定装置、スケジューリング装置、方法及びシステムに関する。
【背景技術】
【０００２】
ホットスポット領域の容量を向上させるために、該領域は、複数の同じ周波数（intra-frequency）のセル（同一周波数内セル）により共同でサービングすることができる。このような案では、各ユーザ（UE：User  Equipment）が、異なるタイムスロットで異なるセルによりサービングされる可能性がある。異なるセルが、異なる設定（configuration）（例えば、クロック、参照信号の位置など）を用いてユーザにサービスを提供することができるため、ユーザは、各タイムスロットでのサービングセルを知る必要がある。
【０００３】
なお、上述の背景技術についての紹介は、本発明の技術案を明確且つ完全に説明し、また、当業者がそれを理解しやすいためのものである。これらの案は、本発明の背景技術の一部に記述されているため、当業者にとって周知であると解釈すべきではない。
【発明の概要】
【発明が解決しようとする課題】
【０００４】
従来のメカニズムでは、端末が複数の異なる周波数（inter-frequency）のセルにより同時にサービングされ得る。スケジューリング時に、基地局は、スケジューリング情報により、スケジューリングされるタイムスロットで該ユーザにサービスを提供するセルがどれかを指示することができる。よって、従来のメカニズムは、ユーザに複数の同一周波数内セルが設定されている時のスケジューリングをサポートすることができない。
【０００５】
上述の問題を解決するために、本発明の実施例は、スケジューリング情報確定装置、スケジューリング装置、方法及びシステムを提供する。
【課題を解決するための手段】
【０００６】
本実施例の第一側面によれば、スケジューリング情報確定装置が提供され、それは、ユーザ装置（UE）に応用され、基地局が、前記UEのために、複数の同一周波数内セルが共同で前記UEにサービスを提供するように構成しており、そのうち、前記装置は、
第一確定ユニットであって、基地局が送信したスケジューリング情報に基づいて、スケジューリングされるタイムスロットのサービングセルを確定するためのものを含む。
【０００７】
本実施例の第二側面によれば、スケジューリング装置が提供され、それは、基地局（eNB）に応用され、前記基地局は、ユーザ装置（UE）のために、複数の同一周波数内セルが共同で前記UEにサービスを提供するように構成しており、そのうち、前記装置は、
ユーザ装置にスケジューリング情報を送信するためのスケジューリングユニットであって、前記スケジューリング情報には、スケジューリングされるタイムスロットのサービングセルの指示情報が含まれ、又は、含まれず、これにより、前記ユーザ装置は、スケジューリングされるタイムスロットのサービングセルを確定する、ものを含む。
【０００８】
本実施例の第三側面によれば、スケジューリング情報確定装置が提供され、それは、ユーザ装置（UE）に応用され、基地局が、前記UEのために、複数の同一周波数内セルが共同で前記UEにサービスを提供するように構成しており、そのうち、前記装置は、
第一確定ユニットであって、基地局が前記ユーザ装置のために設定した参照TDD設定に基づいて、各タイムスロットのサービングセルを確定するものを含む。
【０００９】
本実施例の第四側面によれば、スケジューリング装置が提供され、それは、基地局（eNB）に応用され、前記基地局は、ユーザ装置（UE）のために、複数の同一周波数内セルが共同で前記UEにサービスを提供するように構成しており、そのうち、前記装置は、
設定ユニットであって、ユーザ装置のために参照TDD設定を設定し、これにより、前記ユーザ装置は、参照TDD設定に基づいて、各タイムスロットのサービングセルを確定する、ものを含む。
【００１０】
本実施例の第五側面によれば、スケジューリング情報確定装置が提供され、それは、ユーザ装置（UE）に応用され、基地局が、前記UEのために、複数の同一周波数内セルが共同で前記UEにサービスを提供するように構成しており、そのうち、前記装置は、
第一確定ユニットであって、基地局が前記ユーザ装置のために設定した、タイムスロットとサービングセルとの対応関係に基づいて、各タイムスロットのサービングセルを確定するものを含む。
【００１１】
本実施例の第六側面によれば、スケジューリング装置が提供され、それは、基地局（eNB）に応用され、前記基地局は、ユーザ装置（UE）のために、複数の同一周波数内セルが共同で前記UEにサービスを提供するように構成しており、そのうち、前記装置は、
設定ユニットであって、ユーザ装置のために、タイムスロットとサービングセルとの対応関係を設定し、これにより、前記ユーザ装置は、該対応関係に基づいて、各タイムスロットのサービングセルを確定する、ものを含む。
【００１２】
本実施例の第七側面によれば、ユーザ装置が提供され、そのうち、前記ユーザ装置は、前述の第一側面、第三側面及び／又は第五側面に記載の装置を含む。
【００１３】
本実施例の第八側面によれば、基地局が提供され、そのうち、前記基地局は、前述の第二側面、第四側面及び／又は第五側面に記載の装置を含む。
【００１４】
本実施例の第九側面によれば、通信システムが提供され、そのうち、前記通信システムは、前述の第七側面に記載のユーザ装置及び前述の第八側面に記載の基地局を含む。
【００１５】
本実施例の第十側面によれば、スケジューリング情報確定方法が提供され、それは、ユーザ装置（UE）に応用され、基地局が、前記UEのために、複数の同一周波数内セルが共同で前記UEにサービスを提供するように構成しており、そのうち、前記方法は、
ユーザ装置が、基地局送信のスケジューリング情報に基づいて、スケジューリングされるタイムスロットのサービングセルを確定することを含む。
【００１６】
本実施例の第十一側面によれば、スケジューリング方法が提供され、それは、基地局（eNB）に応用され、前記基地局は、ユーザ装置（UE）のために、複数の同一周波数内セルが共同で前記UEにサービスを提供するように構成しており、そのうち、前記方法は、
基地局が、ユーザ装置にスケジューリング情報を送信し、前記スケジューリング情報には、スケジューリングされるタイムスロットのサービングセルの指示情報が含まれ、又は、含まれず、これにより、前記ユーザ装置は、スケジューリングされるタイムスロットのサービングセルを確定することを含む。
【００１７】
本実施例の第十二側面によれば、スケジューリング情報確定方法が提供され、それは、ユーザ装置（UE）に応用され、基地局が、前記UEのために、複数の同一周波数内セルが共同で前記UEにサービスを提供するように構成しており、そのうち、前記方法は、
ユーザ装置が、基地局が該UEのために設定した参照TDD設定に基づいて、各タイムスロットのサービングセルを確定することを含む。
【００１８】
本実施例の第十三側面によれば、スケジューリング方法が提供され、それは、基地局（eNB）に応用され、前記基地局は、ユーザ装置（UE）のために、複数の同一周波数内セルが共同で前記UEにサービスを提供するように構成しており、そのうち、前記方法は、
基地局がユーザ装置のために参照TDD設定を構成し、これにより、前記ユーザ装置は、前記参照TDD設定に基づいて、各タイムスロットのサービングセルを確定することを含む。
【００１９】
本実施例の第十四側面によれば、スケジューリング情報確定方法が提供され、それは、ユーザ装置（UE）に応用され、基地局が、前記UEのために、複数の同一周波数内セルが共同で前記UEにサービスを提供するように構成しており、そのうち、前記方法は、
ユーザ装置が、基地局が該UEのために設定した、タイムスロットとサービングセルとの対応関係に基づいて、各タイムスロットのサービングセルを確定することを含む。
【００２０】
本実施例の第十五側面によれば、スケジューリング方法が提供され、それは、基地局（eNB）に応用され、前記基地局は、ユーザ装置（UE）のために、複数の同一周波数内セルが共同で前記UEにサービスを提供するように構成しており、そのうち、前記方法は、
基地局が、ユーザ装置のために、タイムスロットとサービングセルとの対応関係を設定し、これにより、前記ユーザ装置は、該対応関係に基づいて、各タイムスロットのサービングセルを確定することを含む。
【００２１】
本発明の実施例の有益な効果は、次の通りであり、即ち、ユーザに複数の同一周波数内セルが構成されている時に、本発明の実施例により、該ユーザは、あるタイムスロットでどのセルがそのサービングセルであるかを知ることができる。
【００２２】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００２３】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２４】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００２５】
含まれている図面は、本発明の実施例への更なる理解を提供するために用いられ、これらの図面は、本明細書の一部を構成しており、本発明の実施形態を例示し、文字記載とともに本発明の原理を説明するために用いられる。また、明らかのように、以下に記載されている図面は、本発明の幾つかの実施例を示すためのものに過ぎず、当業者は、創造性のある労働をせずに、これらの図面に基づいて他の図面を得ることもできる。
【図１】セル・アグリゲーションを示す図である。
【図２】本実施例のスケジューリング装置の一実施方式の構成図である。
【図３】本実施例のスケジューリング装置の他の実施方式の構成図である。
【図４】本実施例のスケジューリング装置の他の実施方式の構成図である。
【図５】参照TDD設定、及び構成セルのTDD設定を示す図である。
【図６】本実施例のスケジューリング装置の他の実施方式の構成図である。
【図７】本実施例のスケジューリング装置の他の実施方式の構成図である。
【図８】本実施例のスケジューリング装置の他の実施方式の構成図である。
【図９】本実施例のスケジューリング方法の一実施方式のフローチャートである。
【図１０】本実施例のスケジューリング方法の他の実施方式のフローチャートである。
【図１１】本実施例のスケジューリング方法の他の実施方式のフローチャートである。
【図１２】本実施例のスケジューリング方法の他の実施方式のフローチャートである。
【図１３】本実施例のスケジューリング方法の他の実施方式のフローチャートである。
【図１４】本実施例のスケジューリング方法の他の実施方式のフローチャートである。
【図１５】本実施例の基地局のハードウェア構成図である。
【図１６】本実施例のユーザ装置のハードウェア構成図である。
【図１７】本実施例の通信システムのトポロジ図である。
【発明を実施するための形態】
【００２６】
添付した図面及び以下の説明を参照することにより、本発明の前述及び他の特徴が明らかになる。なお、明細書及び図面では、本発明の特定の実施方式を開示しているが、それは、本発明の原理を採用し得る一部のみの実施方式を示し、理解すべきは、本発明は、記載されている実施方式に限定されず、即ち、本発明は、添付した特許請求の範囲内での全ての変更、変形及び代替によるものも含むということである。
【００２７】
本発明の実施例では、セル・アグリゲーションとは、１つのユーザのために複数の同一周波数内セルを設定し、且つ各ユーザが、設定されている各セルのTDD（Time  Division  Duplexing）設定を把握し得ることを指し、この設定は、各セル中の各タイムスロットの上り下りリンク設定を決定している。図1は、セル・アグリゲーションを示す図である。図1に示すように、ユーザは、セル1及びセル2が設定されており、この２つのセルは、ともに、同じ周波数、例えば、周波数1でワーキングする。異なるタイムスロットでは、ユーザが、セル1によりサービングされ、又は、セル2によりサービングされる。ユーザが、あるセルによりサービングされる時に、それは、該セルの設定（例えば、クロック情報、参照信号の位置など）に従ってサービングされる必要がり、これにより、該セル内での正確なデータ送受信を保証することができる。よって、ユーザは、各タイムスロットのサービングセルを決定し得る必要がある。
【００２８】
本発明の実施例では、サービングセルは、１つの伝送ポイント（TP、Transmission  Point）又は１つの基地局（eNB、evolved  Node  B）を指す（identify）。サービングセルは、セルID、伝送ポイントID、基地局IDなどにより示すことができる。
【００２９】
以下、図面を参照しながら本発明の実施例について説明を行う。
【実施例１】
【００３０】
本実施例は、スケジューリング情報確定装置を提供し、該装置は、ユーザ装置（UE）に応用され、基地局は、該ユーザ装置に、複数の同一周波数内セルが共同で該ユーザ装置にサービスを提供するように構成している。図2は、該装置の構成図である。図2に示すように、該装置200は、第一確定ユニット201を含み、それは、基地局が送信したスケジューリング情報に基づいて、スケジューリングされるタイムスロットのサービングセルを確定する。
【００３１】
本実施例では、基地局は、ユーザ装置にスケジューリング情報を送信し、ユーザ装置は、該スケジューリング情報にはスケジューリングされるタイムスロットのサービングセルの指示情報が含まれるかに基づいて、スケジューリングされるタイムスロットのサービングセルを確定することができる。
【００３２】
一実施方式では、該スケジューリング情報にはスケジューリングされるタイムスロットのサービングセルの指示情報が含まれない場合、該第一確定ユニット201は、スケジューリングされるタイムスロットのサービングセルがデフォルトセルであると確定する。本実施方式では、デフォルトセルは、予め設定されても良く、例えば、基地局がユーザ装置のために複数の同一周波数内セルを設定した時に指示されても良く、又は、予め定義されても良く、例えば、予め、プライマリセルがデフォルトのサービングセルであると定義されても良い。
【００３３】
他の実施方式では、該スケジューリング情報にはスケジューリングされるタイムスロットのサービングセルの指示情報が含まれる場合、該第一確定ユニット201は、スケジューリングされるタイムスロットのサービングセルが、前記指示情報により指示されるサービングセルであると確定する。
【００３４】
本実施例の他の実施方式では、図2に示すように、該装置200は、さらに、第二確定ユニット202を含んでも良く、それは、前記スケジューリング情報、又は、スケジューリングされるタイムスロットのサービングセルのTDD設定に基づいて、スケジューリングされるタイムスロットの位置、及び、スケジューリングされるタイムスロットの上り下りリンク設定を確定する。
【００３５】
本実施例では、スケジューリングされるタイムスロットの位置は、事前定義の、スケジューリング情報を受信するタイムスロット、及び、スケジューリングされるタイムスロットの時間順序関係に基づいて決定されても良い。例えば、スケジューリング情報がタイムスロットnで受信される場合、スケジューリングされるタイムスロットの位置は、n+kである。ここで、kは、事前定義のものであり、例えば、サービングセルのTDD設定に基づいて決定されても良い。これにより、第二確定ユニット202は、このようなTDD設定に基づいて、スケジューリングされるタイムスロットの位置を確定することができる。
【００３６】
本実施例では、スケジューリングされるタイムスロットの位置は、スケジューリング情報中の指示情報により指示されても良い。これにより、該第二確定ユニット202は、上述のスケジューリング情報により、スケジューリングされる該タイムスロットの位置を確定することもできる。
【００３７】
本実施例では、スケジューリングされるタイムスロットの上り下りリンク設定は、暗示的な指示、例えば、スケジューリング情報のフォーマットに基づいて決定されても良い。これにより、該第二確定ユニット202は、上述のスケジューリング情報のフォーマットに基づいて、スケジューリングされるタイムスロットの上り下りリンク設定を確定することができる。
【００３８】
本実施例では、スケジューリングされるタイムスロットの上り下りリンク設定は、明示的な指示、例えば、明示的なスケジューリング指示情報を用いて指示することができる。これにより、該第二確定ユニット402は、該スケジューリング指示情報に基づいて、スケジューリングされるタイムスロットの上り下りリンク設定を確定することができる。
【００３９】
例えば、１つのユーザ装置は、同一周波数内セル1及びセル2が設定されており、セル1は、デフォルトのサービングセル（例えば、プライマリーセル）と設定されており、セル2は、セカンダリーセルと設定されている。セル1及びセル2は、同じ又は異なるTDD設定を有する可能性がある。ユーザ装置が受信したスケジューリング情報にはサービングセルに関する指示情報がない場合、第一確定ユニット201は、スケジューリングされるタイムスロットのサービングセルがセル1であると確定することができ、第二確定ユニット202は、セル1のTDD設定に基づいて、スケジューリングされるタイムスロットの位置及上り下りリンク設定を確定することができる。ユーザ装置が受信したスケジューリング情報にはサービングセルがセル2であることに関する指示情報がある場合、第一確定ユニット201は、スケジューリングされるタイムスロットのサービングセルがセル2であると確定することができ、第二確定ユニット202は、セル2のTDD設定に基づいて、スケジューリングされるタイムスロットの位置及上り下りリンク設定を確定することができる。
【００４０】
本実施例のスケジューリング情報確定装置により、ユーザ装置は、スケジューリング情報にはスケジューリングされるタイムスロットのサービングセルを指示する指示情報が含まれるかに基づいて、スケジューリングされるタイムスロットのサービングセルを確定することができ、これにより、スケジューリングされる該タイムスロットのサービングセルのTDD設定に基づいて、該タイムスロットでデータ送受信を行うことができる。
【実施例２】
【００４１】
本実施例は、スケジューリング装置を提供し、それは、基地局（eNB）に応用され、該装置は、実施例1の装置に対応する基地局側の処理を行い、そのうち、実施例1と同じである内容は、省略される。
【００４２】
図3は、該スケジューリング装置の構成図である。図3に示すように、該スケジューリング装置300は、スケジューリングユニット301を含み、それは、ユーザ装置にスケジューリング情報を送信し、前記スケジューリング情報には、スケジューリングされるタイムスロットのサービングセルの指示情報が含まれ、又は、含まれず、これにより、前記ユーザ装置は、スケジューリングされるタイムスロットのサービングセルを確定することができる。即ち、該ユーザ装置は、該スケジューリング情報にはスケジューリングされるタイムスロットのサービングセルの指示情報が含まれるかに基づいて、スケジューリングされるタイムスロットのサービングセルを確定する。
【００４３】
本実施例では、スケジューリング情報にはスケジューリングされるタイムスロットのサービングセルの指示情報がある場合、前述のように、UEは、該指示情報に基づいて、スケジューリングされるタイムスロットのサービングセルを確定することができ；スケジューリング情報にはスケジューリングされるタイムスロットのサービングセルの指示情報が無い場合、前述のように、UEは、デフォルトのサービングセルが、スケジューリングされる該タイムスロットのサービングセルであると見なすことができる。
【００４４】
本実施例では、前述のように、該基地局は、さらに、該ユーザ装置のために、複数の同一周波数内セル（以下、構成セルともいう）が、該ユーザ装置にサービスを提供するように構成することができ、且つ、該基地局は、構成情報により、デフォルトのサービングセルを指示することができる。
【００４５】
本実施例では、前述のように、オプションとして、該スケジューリング情報は、さらに、スケジューリングされるタイムスロットの位置を指示する指示情報を含んでも良く；オプションとして、該スケジューリング情報のフォーマットは、さらに、スケジューリングされるタイムスロットの上り下りリンク設定を暗示的に指示しても良く；また、オプションとして、該スケジューリング情報は、さらに、スケジューリングされるタイムスロットの上り下りリンク設定を指示する指示情報を含んでも良い。
【００４６】
本実施例のスケジューリング装置により、ユーザ装置は、該スケジューリング情報にはスケジューリングされるタイムスロットのサービングセルの指示情報が含まれるかに基づいて、スケジューリングされるタイムスロットのサービングセルを確定することができ、これにより、スケジューリングされるタイムスロットのサービングセルのTDD設定に基づいて、スケジューリングされる該タイムスロットでデータ送受信を行うことができる。
【実施例３】
【００４７】
本実施例は、スケジューリング情報確定装置を提供し、該装置は、ユーザ装置（UE）に応用され、基地局が、該ユーザ装置のために、複数の同一周波数内セルが共同で該ユーザ装置にサービスを提供するように構成している。図4は、該装置の構成図である。図4に示すように、該装置400は、第一確定ユニット401を含み、それは、基地局が前記ユーザ装置のために設定した参照TDD設定に基づいて、各タイムスロットのサービングセルを確定する。
【００４８】
本実施例では、基地局は、ユーザ装置のために参照TDD設定を設定しており、ユーザ装置は、該参照TDD設定に基づいて、また、基地局がそのために構成した各構成セルのTDD設定と共に、各タイムスロットのサービングセルを確定することができる。
【００４９】
一実施方式では、１つのタイムスロットについて、該参照TDD設定中の該タイムスロットの上り下りリンク設定が、１つの構成セルのみのTDD設定中の該タイムスロットの上り下りリンク設定と同じである場合、該第一確定ユニット401は、該構成セルが前記タイムスロットのサービングセルであると確定する。
【００５０】
他の実施方式では、１つのタイムスロットについて、該参照TDD設定中の該タイムスロットの上り下りリンク設定が、少なくとも２つの構成セルのTDD設定中の該タイムスロットの上り下りリンク設定と同じであり、且つデフォルトセルのTDD設定中の該タイムスロットの上り下りリンク設定と同じである場合、該第一確定ユニット401は、デフォルトセルが前記タイムスロットのサービングセルであると確定する。
【００５１】
他の実施方式では、１つのタイムスロットについて、該参照TDD設定中の該タイムスロットの上り下りリンク設定が、少なくとも２つの構成セルのTDD設定中の該タイムスロットの上り下りリンク設定と同じであり、且つデフォルトセルのTDD設定中の該タイムスロットの上り下りリンク設定と異なる場合、該第一確定ユニット401は、基地局が指定したセルを前記タイムスロットのサービングセルとする。
【００５２】
本実施例では、上述の構成セルとは、基地局が該ユーザ装置のために設定した上述の複数の同一周波数内セルを指し、また、前述のように、基地局が該ユーザ装置のために設定した該複数の構成セルのうちの１つは、デフォルトセルである。前述のように、該デフォルトセルは、予め設定されても良く、予め定義されても良い。
【００５３】
図5は、参照TDD設定、及び各構成セルのTDD設定を示す図である。図5に示すように、タイムスロット1及びタイムスロット2において、参照TDD設定が下りリンク（D：Downlink）であり、セル1、セル2、セル3のTDD設定も全て下りリンクであり、セル1がデフォルトセルであり、即ち、この２つのタイムスロットにおいて、３つの構成セルがあり、セル1、セル2及びセル3のTDD設定中の上り下りリンク設定が、該参照TDD設定中の上り下りリンク設定と同じであり、且つ、デフォルトセル1のTDD設定中の上り下りリンク設定が、該参照TDD設定中の上り下りリンク設定と同じであり、この場合、該第一確定ユニット401は、タイムスロット1、2のサービングセルが該デフォルトセル、即ち、セル1であると確定する。
【００５４】
再び図5を参照する。タイムスロット3において、参照TDD設定が下りリンクであり、セル3のTDD設定も下りリンクであり、セル1及びセル2のTDD設定が全て上りリンク（U：Uplink）であり、即ち、該タイムスロットにおいて、１つのセル3のみのTDD設定中の上り下りリンク設定が、該参照TDD設定の上り下りリンク設定と同じであり、この場合、該第一確定ユニット401は、タイムスロット3のサービングセルがセル3であると確定する。
【００５５】
再び図5を参照する。タイムスロット4において、参照TDD設定が上りリンクであり、セル1及びセル3のTDD設定が下りリンクであり、セル2のTDD設定が上りリンクであり、即ち、該タイムスロットにおいて、１つのセル2のみのTDD設定の上り下りリンク設定が、該参照TDD設定の上り下りリンク設定と同じであり、この場合、該第一確定ユニット401は、タイムスロット4のサービングセルがセル2であると確定する。
【００５６】
再び図5を参照する。タイムスロット5において、参照TDD設定が上りリンクであり、セル1及びセル2のTDD設定が下りリンクであり、セル3のTDD設定が上りリンクであり、即ち、該タイムスロットにおいて、１つのセル3のみのTDD設定の上り下りリンク設定が、該参照TDD設定の上り下りリンク設定と同じであり、この場合、該第一確定ユニット401は、タイムスロット5のサービングセルがセル3であると確定する。
【００５７】
再び図5を参照する。タイムスロット6において、参照TDD設定が下りリンクであり、セル1のTDD設定が上りリンクであり、セル2及びセル3のTDD設定が下りリンクであり、即ち、該タイムスロットにおいて、２つのセル、即ち、セル2及びセル3のTDD設定の上り下りリンク設定が、参照TDD設定の上り下りリンク設定と同じであるが、デフォルトセル、即ち、セル1のTDD設定の上り下りリンク設定が、該参照TDD設定の上り下りリンク設定と異なり、この場合、該第一確定ユニット401は、基地局が指定したサービングセル（セル2又はセル3）を該タイムスロット6のサービングセルとする。
【００５８】
本実施例の他の実施方式では、図4に示すように、該装置400は、さらに、第二確定ユニット402を含んでも良く、それは、前記ユーザ装置がスケジューリング情報を受信した後に、前記スケジューリング情報又は前記参照TDD設定に基づいて、スケジューリングされるタイムスロットの位置及びスケジューリングされるタイムスロットの上り下りリンク設定を確定し、そして、スケジューリングされるタイムスロットの位置に基づいて、スケジューリングされる該タイムスロットのサービングセルを確定する。
【００５９】
本実施例では、スケジューリングされるタイムスロットの位置は、事前定義の、スケジューリング情報を受信するタイムスロット、及び、スケジューリングされるタイムスロットの時間順序関係に従って決定されても良い。例えば、スケジューリング情報がタイムスロットnで受信される場合、スケジューリングされるタイムスロットの位置は、n+k’であり、ここで、k’は、事前定義のものであり、例えば、設定された参照TDD設定に基づいて決定されても良い。これにより、第二確定ユニット402は、該参照TDD設定に基づいて、スケジューリングされる該タイムスロットの位置を確定することができる。
【００６０】
本実施例では、スケジューリングされるタイムスロットの位置は、スケジューリング情報中の指示情報を用いて指示することができる。これにより、該第二確定ユニット402は、上述のスケジューリング情報に基づいて、スケジューリングされる該タイムスロットの位置を確定することができる。
【００６１】
本実施例では、スケジューリングされるタイムスロットの上り下りリンク設定は、暗示的な指示、例えば、スケジューリング情報のフォーマットに基づいて決定されても良い。これにより、該第二確定ユニット402は、上述のスケジューリング情報のフォーマットに基づいて、スケジューリングされるタイムスロットの上り下りリンク設定を確定することができる。
【００６２】
本実施例では、スケジューリングされるタイムスロットの上り下りリンク設定は、明示的な指示、例えば、明示的なスケジューリング指示情報により指示することができる。これにより、該第二確定ユニット402は、該スケジューリング指示情報に基づいて、スケジューリングされるタイムスロットの上り下りリンク設定を確定することができる。
【００６３】
本実施例のスケジューリング情報確定装置により、ユーザ装置は、基地局がそのために設定した参照TDD設定に基づいて、各タイムスロットのサービングセルを確定し、そして、スケジューリングされるタイムスロットのサービングセルを確定することができ、これにより、スケジューリングされる該タイムスロットのサービングセルのTDD設定に基づいて、該タイムスロットでデータ送受信を行うことができる。
【実施例４】
【００６４】
本実施例は、スケジューリング装置を提供し、それは、基地局（eNB）に応用され、該装置は、実施例3の装置に対応する基地局側の処理を行い、そのうち、実施例3と同じである内容は、省略される。
【００６５】
図6は、該スケジューリング装置の構成図である。図6に示すように、該スケジューリング装置600は、設定ユニット601を含み、それは、ユーザ装置のために参照TDD設定を設定し、これにより、前記ユーザ装置は、前記参照TDD設定に基づいて、各タイムスロットのサービングセルを確定する。
【００６６】
本実施例では、前述のように、該基地局は、さらに、該ユーザ装置のために、複数の同一周波数内セルが、構成セルとして、該ユーザ装置をサービングするように設定することができ、且つ、該基地局は、構成情報により、デフォルトのサービングセルを指示することができる。オプションとして、該基地局は、さらに、構成情報により、１つのサービングセルを前述のように指定することができる。
【００６７】
本実施例では、前述のように、各構成セルのTDD設定は、該ユーザ装置に既知であり、例えば、基地局が事前に設定したものである。各構成セルのTDD設定及び上述の参照TDD設定に基づいて、該ユーザ装置は、各タイムスロットのサービングセルを前述のように確定することができる。
【００６８】
本実施例の他の実施方式では、図6に示すように、該スケジューリング装置600は、さらに、スケジューリングユニット602を含んでも良く、それは、前記ユーザ装置にスケジューリング情報を送信し、これにより、前記ユーザ装置は、前記スケジューリング情報を受信した後に、スケジューリングされるタイムスロットの位置及びスケジューリングされるタイムスロットの上り下りリンク設定を確定し、そして、スケジューリングされるタイムスロットの位置に基づいて、スケジューリングされる該タイムスロットのサービングセルを確定する。具体的には、前述と同様であるため、ここでは説明を省略する。
【００６９】
本実施例では、前述のように、オプションとして、該スケジューリング情報は、さらに、スケジューリングされるタイムスロットの位置を指示する指示情報を含んで良く；オプションとして、該スケジューリング情報のフォーマットは、さらに、スケジューリングされるタイムスロットの上り下りリンク設定を暗示的に指示して良く；また、オプションとして、該スケジューリング情報は、さらに、スケジューリングされるタイムスロットの上り下りリンク設定を指示する指示情報を含んでも良い。
【００７０】
本実施例のスケジューリング装置により、ユーザ装置は、基地局がそのために設定した参照TDD設定に基づいて、各タイムスロットのサービングセルを確定し、そして、スケジューリングされるタイムスロットのサービングセルを確定することができ、これにより、スケジューリングされるタイムスロットのサービングセルのTDD設定に基づいて、スケジューリングされる該タイムスロットでデータ送受信を行うことができる。
【実施例５】
【００７１】
本実施例は、スケジューリング情報確定装置を提供し、該装置は、ユーザ装置（UE）に応用され、基地局は、該ユーザ装置に複数の同一周波数内セルが共同で該ユーザ装置をサービングするように設定している。図7は、該装置の構成図である。図7に示すように、該装置700は、第一確定ユニット701を含み、それは、基地局が前記ユーザ装置のために設定した、タイムスロットとサービングセルとの対応関係に基づいて、各タイムスロットのサービングセルを確定する。
【００７２】
本実施例では、基地局は、ユーザ装置のために、全てのタイムスロットに対応するサービングセルを設定しても良く、ユーザ装置のために、一部のタイムスロットに対応するサービングセルを設定しても良く、基地局によりサービングセルが設定されないタイムスロットについては、デフォルトとして、それに対応するサービングセルがデフォルトのサービングセルである。この場合、ユーザ装置は、基地局がそのために設定した、該タイムスロットとサービングセルとの対応関係に基づいて、各タイムスロットのサービングセルを確定することができる。
【００７３】
本実施例の他の実施方式では、図7に示すように、該スケジューリング情報確定装置700は、さらに、第二確定ユニット702を含んでも良く、それは、前記ユーザ装置がスケジューリング情報を受信した後に、前記スケジューリング情報、又は前記基地局が前記ユーザ装置のために設定した参照TDD設定に基づいて、スケジューリングされるタイムスロットの位置及びスケジューリングされるタイムスロットの上り下りリンク設定を確定し、そして、スケジューリングされるタイムスロットの位置に基づいて、スケジューリングされる該タイムスロットのサービングセルを確定することができる。
【００７４】
本実施方式では、基地局は、さらに、該ユーザ装置のために参照TDD設定を設定しても良く、これにより、該第二確定ユニット702は、該参照TDD設定に基づいて、スケジューリング情報受信後に、スケジューリングされるタイムスロットの位置及び上り下りリンク設定を確定し、そして、スケジューリングされるタイムスロットの位置に基づいて、スケジューリングされるタイムスロットのサービングセルを確定することができる。
【００７５】
本実施方式では、スケジューリングされるタイムスロットの位置は、事前定義の、スケジューリング情報を受信するタイムスロット、及び、スケジューリングされるタイムスロットの時間順序関係に従って決定されても良い。例えば、スケジューリング情報がタイムスロットnで受信される場合、スケジューリングされるタイムスロットの位置は、n+k’’であり、ここで、k’’は、事前定義のものであり、例えば、設定された参照TDD設定に基づいて決定されても良い。これにより、第二確定ユニット702は、該参照TDD設定に基づいて、スケジューリングされるタイムスロットの位置を確定することができる。
【００７６】
本実施方式では、スケジューリングされるタイムスロットの位置は、スケジューリング情報中の指示情報を用いて指示することができる。これにより、該第二確定ユニット702は、上述のスケジューリング情報に基づいて、スケジューリングされる該タイムスロットの位置を確定することができる。
【００７７】
本実施方式では、スケジューリングされるタイムスロットの上り下りリンク設定は、暗示的な指示、例えば、スケジューリング情報のフォーマットに基づいて決定することができる。これにより、該第二確定ユニット702は、上述のスケジューリング情報のフォーマットに基づいて、スケジューリングされるタイムスロットの上り下りリンク設定を確定することができる。
【００７８】
本実施例では、スケジューリングされるタイムスロットの上り下りリンク設定は、明示的な指示、例えば、明示的なスケジューリング指示情報により指示されても良い。これにより、該第二確定ユニット702は、該スケジューリング指示情報に基づいて、スケジューリングされるタイムスロットの上り下りリンク設定を確定することができる。
【００７９】
本実施例のスケジューリング情報確定装置により、ユーザ装置は、基地局の設定に基づいて、各タイムスロットのサービングセルを確定し、そして、設定された参照TDD設定に基づいて、スケジューリングされるタイムスロットのサービングセルを確定することができ、これにより、スケジューリングされるタイムスロットのサービングセルのTDD設定に基づいて、スケジューリングされる該タイムスロットでデータ送受信を行うことができる。
【実施例６】
【００８０】
本実施例は、さらに、スケジューリング装置を提供し、それは、基地局（eNB）に応用され、該装置は、応実施例5の装置に対応する基地局側の処理を行い、そのうち、実施例5と同じである内容は、省略される。図8は、該装置の構成図である。図8に示すように、該スケジューリング装置800は、設定ユニット801を含み、それは、ユーザ装置のためにタイムスロットとサービングセルとの対応関係を設定し、これにより、前記ユーザ装置は、それ（該対応関係）に基づいて、各タイムスロットのサービングセルを確定する。
【００８１】
本実施例では、基地局は、ユーザ装置のために、全てのタイムスロットに対応するサービングセルを設定しても良く、ユーザ装置のために、一部のタイムスロットに対応するサービングセルを設定しても良く、基地局によりサービングセルが設定されないタイムスロットについて、デフォルトとして、それに対応するサービングセルがデフォルトのサービングセルである。これにより、ユーザ装置は、基地局がそのために設定した該タイムスロットとサービングセルとの対応関係に基づいて、各タイムスロットのサービングセルを確定することができ、具体的には、前述と同様である。
【００８２】
本実施例の他の実施方式では、該基地局は、さらに、設定ユニット801により、ユーザ装置のために参照TDD設定を構成しても良く、これにより、該ユーザ装置は、該参照TDD設定に基づいて、スケジューリングされるタイムスロットの位置及び上り下りリンク設定を確定し、そして、スケジューリングされる該タイムスロットの位置に基づいて、スケジューリングされるタイムスロットのサービングセルを確定することができる。
【００８３】
本実施例の他の実施方式では、図8に示すように、該スケジューリング装置800は、さらに、スケジューリングユニット802を含んでも良く、それは、前記ユーザ装置にスケジューリング情報を送信し、これにより、前記ユーザ装置は、前記スケジューリング情報受信後に、前記スケジューリング情報又は前記参照TDD設定に基づいて、スケジューリングされるタイムスロットの位置及びスケジューリングされるタイムスロットの上り下りリンク設定を確定し、そして、スケジューリングされるタイムスロットの位置に基づいて、スケジューリングされる該タイムスロットのサービングセルを確定することができる。
【００８４】
本実施例では、前述のように、オプションとして、該スケジューリング情報は、さらに、スケジューリングされるタイムスロットの位置を指示する指示情報を含んでも良く；オプションとして、該スケジューリング情報のフォーマットは、さらに、暗示的に、スケジューリングされるタイムスロットの上り下りリンク設定を指示しても良く；また、オプションとして、該スケジューリング情報は、さらに、スケジューリングされるタイムスロットの上り下りリンク設定を指示する指示情報を含んでも良い。
【００８５】
本実施例のスケジューリング装置により、ユーザ装置は、基地局の設定に基づいて、各タイムスロットのサービングセルを確定し、そして、設定された参照TDD設定に基づいて、スケジューリングされるタイムスロットのサービングセルを決定することができ、これにより、スケジューリングされるタイムスロットのサービングセルのTDD設定に基づいて、スケジューリングされる該タイムスロットでデータ送受信を行うことができる。
【実施例７】
【００８６】
本実施例は、スケジューリング情報確定方法を提供し、それは、ユーザ装置に応用され、該方法が問題を解決する原理は、実施例1の装置と類似したので、その具体的な実施は、実施例1の装置の実施を参照することができ、内容が同じである重複説明は、省略される。図9は、該方法のフローチャートであり、図9に示すように、該方法は、次のようなステップを含む。
【００８７】
ステップ901：ユーザ装置が、基地局送信のスケジューリング情報に基づいて、スケジューリングされるタイムスロットのサービングセルを確定する。
【００８８】
一実施方式では、前記スケジューリング情報にはスケジューリングされるタイムスロットのサービングセルの指示情報が含まれない場合、前記ユーザ装置は、スケジューリングされるタイムスロットのサービングセルがデフォルトセルであると確定する。ここで、デフォルトセルは、予め設定された、又は予め定義されたものである。
【００８９】
他の実施方式では、前記スケジューリング情報にはスケジューリングされるタイムスロットのサービングセルの指示情報がある場合、前記ユーザ装置は、スケジューリングされるタイムスロットのサービングセルが、前記指示情報により指示されるサービングセルであると確定する。
【００９０】
他の実施方式では、図9に示すように、前記方法は、さらに、次のようなステップを含む。
【００９１】
ステップ902：前記ユーザ装置は、前記スケジューリング情報又はスケジューリングされるタイムスロットのサービングセルのTDD設定に基づいて、前記スケジューリングされるタイムスロットの位置及びスケジューリングされるタイムスロットの上り下りリンク設定を確定する。
【００９２】
本実施例の方法により、ユーザ装置は、スケジューリング情報にはスケジューリングされるタイムスロットのサービングセルを指示する指示情報があるかに基づいて、スケジューリングされるタイムスロットのサービングセルを確定することができ、これにより、スケジューリングされる該タイムスロットのサービングセルのTDD設定に基づいて、該タイムスロットでデータ送受信を行うことができる。
【実施例８】
【００９３】
本実施例は、スケジューリング方法を提供し、それは、基地局に応用され、該方法が問題を解決する原理は、実施例2の装置に類似したので、その具体的な実施は、実施例2の装置の実施を参照することができ、内容が同じである重複説明は、省略される。図10は、該方法のフローチャートであり、図10に示すように、該方法は、次のようなステップを含む。
【００９４】
ステップ1001：基地局がユーザ装置にスケジューリング情報を送信し、前記スケジューリング情報には、スケジューリングされるタイムスロットのサービングセルの指示情報が含まれ、又は、含まれず、これにより、前記ユーザ装置は、それ（指示情報の有無）に基づいて、スケジューリングされるタイムスロットのサービングセルを確定する。
【００９５】
本実施例では、基地局は、ユーザ装置にスケジューリング情報を送信するが、該スケジューリング情報には、スケジューリングされるタイムスロットのサービングセルを指示する指示情報が含まれる可能性があり、該指示情報が含まれない可能性もある。
【００９６】
本実施例の方法により、ユーザ装置は、スケジューリング情報に、スケジューリングされるタイムスロットのサービングセルを指示する指示情報が含まれるかに基づいて、スケジューリングされるタイムスロットのサービングセルを確定することができ、これにより、スケジューリングされる該タイムスロットのサービングセルのTDD設定に基づいて、該タイムスロットでデータ送受信を行うことができる。
【実施例９】
【００９７】
本実施例は、スケジューリング情報確定方法を提供し、それは、ユーザ装置に応用され、該方法が問題を解決する原理は、実施例3の装置に類似したので、その具体的な実施は、実施例3の装置の実施を参照することができ、内容が同じである重複説明は、省略される。図11は、該方法のフローチャートであり、図11に示すように、該方法は、次のようなステップを含む。
【００９８】
ステップ1101：ユーザ装置は、基地局がそのために設定した参照TDD設定に基づいて、各タイムスロットのサービングセルを確定する。
【００９９】
本実施例では、基地局は、ユーザ装置のために参照TDD設定を設定しており、該参照TDD設定に基づいて、ユーザ装置は、各タイムスロットのサービングセルを確定することができる。
【０１００】
一実施方式では、１つのタイムスロットについて、前記参照TDD設定中の該タイムスロットの上り下りリンク設定が、１つの構成セルのみのTDD設定中の該タイムスロットの上り下りリンク設定と同じである場合、該ユーザ装置は、前記構成セルが前記タイムスロットのサービングセルであると確定する。
【０１０１】
他の実施方式では、１つのタイムスロットについて、前記参照TDD設定中の該タイムスロットの上り下りリンク設定が、少なくとも２つの構成セルのTDD設定中の該タイムスロットの上り下りリンク設定と同じであり、且つデフォルトセルのTDD設定中の該タイムスロットの上り下りリンク設定と同じである場合、該ユーザ装置は、デフォルトセルが前記タイムスロットのサービングセルであると確定する。
【０１０２】
他の実施方式では、１つのタイムスロットについて、前記参照TDD設定中の該タイムスロットの上り下りリンク設定が、少なくとも２つの構成セルのTDD設定中の該タイムスロットの上り下りリンク設定と同じであり、且つデフォルトセルのTDD設定中の該タイムスロットの上り下りリンク設定と異なる場合、該ユーザ装置は、基地局が指定したサービングセルを前記タイムスロットのサービングセルとする。
【０１０３】
本実施例では、デフォルトセルは、予め設定されても良く、予め定義されても良い。
【０１０４】
本実施例の他の実施方式では、図11に示すように、該方法は、さらに、次のようなステップを含んでも良い。
【０１０５】
ステップ1102：スケジューリング情報受信後に、前記ユーザ装置は、前記スケジューリング情報又は前記参照TDD設定に基づいて、スケジューリングされるタイムスロットの位置及びスケジューリングされるタイムスロットの上り下りリンク設定を確定し、そして、スケジューリングされるタイムスロットの位置に基づいて、スケジューリングされる該タイムスロットのサービングセルを確定する。
【０１０６】
本実施例の方法により、ユーザ装置は、基地局がそのために設定した参照TDD設定に基づいて、各タイムスロットのサービングセルを決定し、そして、スケジューリングされるタイムスロットのサービングセルを決定することができ、これにより、スケジューリングされるタイムスロットのサービングセルのTDD設定に基づいて、スケジューリングされる該タイムスロットでデータ送受信を行うことができる。
【実施例１０】
【０１０７】
本発明の実施例は、スケジューリング方法を提供し、それは、基地局に応用され、該方法が問題を解決する原理は、実施例4の装置に類似したので、その具体的な実施は、実施例4の装置の実施を参照することができ、内容が同じである説明は、省略される。図12は、該方法のフローチャートであり、図12に示すように、該方法は、次のようなステップを含む。
【０１０８】
ステップ1201：基地局が、ユーザ装置のために参照TDD設定を設定し、これにより、前記ユーザ装置は、前記参照TDD設定に基づいて、各タイムスロットのサービングセルを確定する。
【０１０９】
本実施例では、基地局は、ユーザ装置のために参照TDD設定を設定しており、これにより、ユーザ装置は、該参照TDD設定に基づいて、各タイムスロットのサービングセルを前述のように確定することができる。オプションとして、基地局は、さらに、ユーザ装置のために、１つのサービングセルを前述のように指定することができる。
【０１１０】
本実施例の他の実施方式では、図12に示すように、該方法は、さらに、次のようなステップを含んでも良い。
【０１１１】
ステップ1202：前記基地局が前記ユーザ装置にスケジューリング情報を送信し、これにより、前記ユーザ装置は、前記スケジューリング情報受信後に、前記スケジューリング情報又は前記参照TDD設定に基づいて、スケジューリングされるタイムスロットの位置及びスケジューリングされるタイムスロットの上り下りリンク設定を確定し、そして、スケジューリングされるタイムスロットの位置に基づいて、スケジューリングされるタイムスロットのサービングセルを確定する。
【０１１２】
本実施例の方法により、ユーザ装置は、基地局がそのために設定した参照TDD設定に基づいて、各タイムスロットのサービングセルを確定し、そして、スケジューリングされるタイムスロットのサービングセルを決定することができ、これにより、スケジューリングされるタイムスロットのサービングセルのTDD設定に基づいて、スケジューリングされる該タイムスロットでデータ送受信を行うことができる。
【実施例１１】
【０１１３】
本実施例は、スケジューリング情報確定方法を提供し、それは、ユーザ装置に応用され、該方法が問題を解決する原理は、実施例5の装置に類似したので、その具体的な実施は、実施例5の装置の実施を参照することができ、内容が同じである重複説明は、省略される。図13は、該方法のフローチャートであり、図13に示すように、該方法は、次のようなステップを含む。
【０１１４】
ステップ1301：ユーザ装置は、基地局がそのために設定した、タイムスロットとサービングセルとの対応関係に基づいて、各タイムスロットのサービングセルを確定する。
【０１１５】
本実施例では、基地局は、ユーザ装置のために、全てのタイムスロットに対応するサービングセルを設定しても良く、ユーザ装置のために、一部のタイムスロットに対応するサービングセルを設定しても良く、基地局によりサービングセルが設定されないタイムスロットについて、デフォルトとして、その対応するサービングセルがデフォルトのサービングセルである。これにより、ユーザ装置は、基地局がそのために設定した、該タイムスロットとサービングセルとの対応関係に基づいて、各タイムスロットのサービングセルを確定することができ、具体的には、前述と同様である。
【０１１６】
本実施例の他の実施方式では、図13に示すように、該方法は、さらに、次のようなステップを含んでも良い。
【０１１７】
ステップ1302：スケジューリング情報受信後に、前記ユーザ装置は、前記スケジューリング情報、又は前記基地局が前記ユーザ装置のために設定した参照TDD設定に基づいて、スケジューリングされるタイムスロットの位置及びスケジューリングされるタイムスロットの上り下りリンク設定を確定し、そして、スケジューリングされるタイムスロットの位置に基づいて、スケジューリングされる該タイムスロットのサービングセルを確定する。
【０１１８】
本実施方式では、基地局は、さらに、ユーザ装置のために参照TDD設定を構成し、これにより、ユーザ装置は、スケジューリング情報受信後に、該参照TDD設定に基づいて、スケジューリングされるタイムスロットの位置及び上り下りリンク設定を確定し、そして、スケジューリングされるタイムスロットのサービングセルを決定することができる。
【０１１９】
本実施例の方法により、ユーザ装置は、基地局の設定に基づいて、各タイムスロットのサービングセルを確定し、そして、設定された参照TDD設定に基づいて、スケジューリングされるタイムスロットのサービングセルを決定することができ、これにより、スケジューリングされるタイムスロットのサービングセルのTDD設定に基づいて、スケジューリングされる該タイムスロットでデータ送受信を行うことができる。
【実施例１２】
【０１２０】
本発明の実施例は、スケジューリング方法を提供し、それは、基地局に応用され、該方法が問題を解決する原理は、実施例6の装置に類似したので、その具体的な実施は、実施例6の装置の実施を参照することができ、内容が同じである重複説明は、省略される。図14は、該方法のフローチャートであり、図14に示すように、該方法は、次のようなステップを含む。
【０１２１】
ステップ1401：基地局が、ユーザ装置のために、タイムスロットとサービングセルとの対応関係を設定し、これにより、前記ユーザ装置は、それに基づいて、各タイムスロットのサービングセルを確定する。
【０１２２】
本実施例では、基地局は、ユーザ装置のために、全てのタイムスロットに対応するサービングセルを設定しても良く、ユーザ装置のために、一部のタイムスロットに対応するサービングセルを設定しても良く、基地局によりサービングセルが設定されないタイムスロットについて、デフォルトとして、その対応するサービングセルは、デフォルトのサービングセルである。これにより、ユーザ装置は、基地局がそのために設定した該タイムスロットとサービングセルとの対応関係に基づいて、各タイムスロットのサービングセルを確定することができ、具体的には、前述と同様である。
【０１２３】
本実施例の他の実施方式では、図14に示すように、該方法は、さらに、次のようなステップを含んでも良い。
【０１２４】
ステップ1402：前記基地局は、前記ユーザ装置のために、参照TDD設定を構成する。
【０１２５】
本実施方式では、基地局は、さらに、ユーザ装置のために参照TDD設定を構成し、これにより、ユーザ装置は、スケジューリングされるタイムスロットの位置及び上り下りリンク設定を確定することができ、そして、スケジューリングされるタイムスロットのサービングセルを前述のように確定することができる。
【０１２６】
本実施例の他の実施方式では、図14に示すように、該方法は、さらに、次のようなステップを含んでも良い。
【０１２７】
ステップ1403：前記基地局が前記ユーザ装置にスケジューリング情報を送信し、これにより、前記ユーザ装置は、前記スケジューリング情報受信後に、前記スケジューリング情報又は前記参照TDD設定に基づいて、スケジューリングされるタイムスロットの位置及びスケジューリングされるタイムスロットの上り下りリンク設定を確定し、そして、スケジューリングされるタイムスロットの位置に基づいて、スケジューリングされる該タイムスロットのサービングセルを確定する。
【０１２８】
本実施方式では、基地局がユーザ装置にスケジューリング情報を送信した後に、ユーザ装置は、該スケジューリング情報又は上述の参照TDD設定に基づいて、スケジューリングされるタイムスロットのサービングセルを確定することができる。本実施方式では、ステップ1402は、オプションである。
【０１２９】
本実施例の方法により、ユーザ装置は、基地局の設定に基づいて、各タイムスロットのサービングセルを確定し、そして、設定された参照TDD設定に基づいて、スケジューリングされるタイムスロットのサービングセルを確定することができ、これにより、スケジューリングされるタイムスロットのサービングセルのTDD設定に基づいて、スケジューリングされる該タイムスロットでデータ送受信を行うことができる。
【実施例１３】
【０１３０】
本発明の実施例は、基地局を提供し、該基地局は、実施例2、4又は6に記載の装置を含む。
【０１３１】
図15は、本発明の実施例の基地局の構成図である。図15に示すように、基地局1500は、中央処理装置（CPU）1501及び記憶器1502を含んでも良く、記憶器1502は、中央処理装置1501に接続される。そのうち、該記憶器1502は、各種のデータを記憶することができ、また、情報処理用のプログラムをさらに記憶することができ、且つ中央処理装置1501の制御下で該プログラムを実行することで、ユーザ装置送信の各種の情報を受信し、且つユーザ装置に各種の情報を送信することができる。
【０１３２】
一実施方式では、実施例2、4又は6の装置の機能は、中央処理装置1701に統合することができる。
【０１３３】
他の実施方式では、実施例2、4又は6の装置は、中央処理装置1501と別々で構成されても良く、例えば、実施例2、4又は6の装置を、中央処理装置1501に接続されるチップとして構成し、中央処理装置1501の制御により実施例2、4又は6の装置の機能を実現しても良い。
【０１３４】
また、図15に示すように、基地局1500は、さらに、送受信機1503及びアンテナ1504などを含んでも良く、そのうち、これらの部品の機能は、従来技術に類似したので、ここでは詳しい説明を省略する。なお、基地局1500は、必ずしも図15中の全てのものを含む必要がない。また、基地局1500は、さらに、図15に無いものを含んでも良く、これについては、従来技術を参照することができる。
【０１３５】
本実施例の基地局により、ユーザ装置は、スケジューリングされるタイムスロットでどのサービングセルが自分にサービスを提供するかを知ることができ、そして、該セルのTDD設定に基づいてデータ送受信を行うことができる。
【実施例１４】
【０１３６】
本発明の実施例は、ユーザ装置を提供し、該ユーザ装置は、実施例1、3又は5に記載の装置を含む。
【０１３７】
図16は、本発明の実施例のユーザ装置1600のシステム構成図である。図16に示すように、該ユーザ装置1600は、中央処理装置1601及び記憶器1602を含んでも良く、記憶器1602は、中央処理装置1601に接続される。なお、該図は、例示に過ぎず、さらに他の類型の構造を以てこの構造に対して補充又は代替を行い、電気通信機能又は他の機能を実現しても良い。
【０１３８】
一実施方式では、実施例1、3又は5に記載の装置の機能は、中央処理装置1601に統合することができる。
【０１３９】
他の実施方式では、実施例1、3又は5に記載の装置は、中央処理装置1601と独立して構成されても良く、例えば、実施例1、3又は5に記載の装置を、中央処理装置1601に絶族されるチップとして構成し、中央処理装置1601の制御により実施例1、3又は5に記載の装置の機能を実現しても良い。
【０１４０】
図16に示すように、該ユーザ装置1600は、さらに、通信モジュール1603、入力ユニット1604、音声処理ユニット1605、表示器1606、電源1607を含んでも良い。なお、ユーザ装置160は、必ずしも図16中の全ての部品を含む必要がない。また、ユーザ装置1600は、さらに、図16に無いものを含んでも良く、これについては、従来技術を参照することができる。
【０１４１】
図16に示すように、中央処理装置1601は、制御器又は操作コントローラと称される場合があり、マイクロプロセッサ又は他の処理装置及び／又は論理装置を含んでも良く、該中央処理装置1601は、入力を受信し、ユーザ装置1600の各部品の操作を制御することができる。
【０１４２】
そのうち、記憶器1602は、例えば、バッファ、フレッシュメモリ、HDD、移動可能な媒質、揮発性記憶器、不揮発性記憶器又は他の適切な装置のうちの１つ又は複数であっても良い。各種のデータを記憶することができ、また、情報処理用のプログラムを記憶することもできる。中央処理装置1601は、該記憶器1602に記憶の該プログラムを実行することで、情報の記憶又は処理などを実現することができる。なお、他の部品の機能は、従来に類似したので、ここでは詳しい説明を省略する。また、ユーザ装置1600の各部品は、専用ハードウェア、ファームウェア、ソフトウェア又はその組み合わせにより実現されても良いが、これらは、全て、本発明の範囲に属する。
【０１４３】
本実施例のユーザ装置により、ユーザ装置は、スケジューリングされるタイムスロットでどのサービングセルによりサービングされるかを把握することができ、これにより、該セルのTDD設定に基づいてデータ送受信を行うことができる。
【実施例１５】
【０１４４】
本発明の実施例は、さらに、通信システムを提供し、実施例13に記載の基地局及び実施例14に記載のユーザ装置を含む。
【０１４５】
図17は、本発明の実施例の通信システムの構成図である。図17に示すように、該通信システム1700は、基地局1701及びユーザ装置1702を含む。そのうち、基地局1701は、実施例13に記載の基地局1500であっても良く、ユーザ装置1702は、実施例14に記載のユーザ装置1600であっても良い。前述の実施例では、基地局1500及びユーザ装置1600について詳細に説明したので、その内容はここに合併され、ここでは詳しい説明を省略する。
【０１４６】
本実施例の通信システムにより、ユーザ装置は、スケジューリングされるタイムスロットにおいてどのサービングセルによりサービングされるかを知ることができ、これにより、該セルのTDD設定に基づいてデータ送受信を行うことができる。
【０１４７】
本発明の実施例は、さらに、コンピュータ可読プログラムを提供し、そのうち、スケジューリング情報確定装置又はユーザ装置中で前記プログラムを実行する時に、前記プログラムは、コンピュータに、前記スケジューリング情報確定装置又はユーザ装置中で実施例7、9又は11に記載の方法を実行させる。
【０１４８】
本発明の実施例は、さらに、コンピュータ可読プログラムを記憶した記憶媒体を提供し、そのうち、前記コンピュータ可読プログラムは、コンピュータに、スケジューリング情報確定装置又はユーザ装置中で実施例7、9又は11に記載の方法を実行させる。
【０１４９】
本発明の実施例は、さらに、コンピュータ可読プログラムを提供し、そのうち、スケジューリング装置又は基地局中で前記プログラムを実行する時に、前記プログラムは、コンピュータに、前記スケジューリング装置又は基地局中で実施例8、10又は12に記載の方法を実行させる。
【０１５０】
本発明の実施例は、さらに、コンピュータ可読プログラムを記憶した記憶媒体を提供し、そのうち、前記コンピュータ可読プログラムは、コンピュータに、スケジューリング装置又は基地局中で実施例8、10又は12に記載の方法を実行させる。
【０１５１】
本発明の以上の装置及び方法は、ソフトウェア又はハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行されるときに、該ロジック部品に、上述の装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明はさらに、上述のプログラムを記憶した記憶媒体、例えば、ハードディスク、磁気ディスク、光ハードディスク、DVD、フラッシュメモリなどにも関する。
【０１５２】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2018535584.tif 000003
【図２】
2018535584.tif 000004
【図３】
2018535584.tif 000005
【図４】
2018535584.tif 000006
【図５】
2018535584.tif 000007
【図６】
2018535584.tif 000008
【図７】
2018535584.tif 000009
【図８】
2018535584.tif 000010
【図９】
2018535584.tif 000011
【図１０】
2018535584.tif 000012
【図１１】
2018535584.tif 000013
【図１２】
2018535584.tif 000014
【図１３】
2018535584.tif 000015
【図１４】
2018535584.tif 000016
【図１５】
2018535584.tif 000017
【図１６】
2018535584.tif 000018
【図１７】
2018535584.tif 000019
【国際調査報告】
2018535584.tif 000020
2018535584.tif 000021
2018535584.tif 000022
2018535584.tif 000023